(57)【要約】【課題】簡便な構造であり、設置にコストや時間がかからない霧発生装置及びミスト浴装置を提供する【解決手段】ミスト浴のために用いられる霧発生装置１０であって、霧発生手段２を備える貯水タンク１１、霧発生手段２より発生した霧６２を流通させる低温流通経路３１及び高温流通経路３２、加熱手段５並びに切り替え手段４１及び４２を備え、加熱手段５は、高温流通経路３２を流通する霧６２を加熱し、切り替え手段４１及び４２は、霧６２が低温流通経路３１及び高温流通経路３２の何れを流通するか制御することを特徴とする、霧発生装置１０。【選択図】図１
2016047236.tif 000002
【特許請求の範囲】
【請求項１】
ミスト浴のために用いられる霧発生装置であって、
霧発生手段を備える貯水タンク、前記霧発生手段より発生した霧を流通させる低温流通経路及び高温流通経路、加熱手段並びに切り替え手段を備え、
前記加熱手段は、前記高温流通経路を流通する前記霧を加熱し、
前記切り替え手段は、前記霧が前記低温流通経路及び前記高温流通経路の何れを流通するか制御することを特徴とする、霧発生装置。
【請求項２】
前記霧発生手段が超音波霧発生器であることを特徴とする、請求項１に記載の霧発生装置。
【請求項３】
前記加熱手段が誘導加熱器であることを特徴とする、請求項１又は２に記載の霧発生装置。
【請求項４】
前記低温流通経路及び前記高温流通経路が、それぞれ低温噴出口及び高温噴出口へ前記霧を流通し、前記低温噴出口が前記高温噴出口よりも高い位置に設けられていることを特徴とする、請求項１〜３の何れか一項に記載の霧発生装置。
【請求項５】
入浴者の体温を感知する体温感知手段と、前記体温感知手段と前記切り替え手段を連動させる連動手段を備え、
前記連動手段は、前記体温感知手段が感知した入浴者の体温が、所定の温度より高いときは前記霧を低温流通経路に流通させ、所定の温度より低いときは前記霧を高温流通経路に流通させるように前記切り替え手段を制御することを特徴とする、請求項１〜４の何れか一項に記載の霧発生装置。
【請求項６】
前記低温流通経路及び前記高温流通経路を通じて浴室へ前記霧を噴出するために用いられ、前記高温流通経路の途中に前記加熱手段によって加熱された前記霧が送気される膨張室を備え、前記膨張室は前記浴室からの還気を流通する還気流通経路に接続されていることを特徴とする、請求項１〜５の何れか一項に記載の霧発生装置。
【請求項７】
前記霧発生手段より発生した霧を、前記低温流通経路及び前記高温流通経路へ供給する送風手段を備えることを特徴とする、請求項１〜６の何れか一項に記載の霧発生装置。
【請求項８】
前記低温流通経路及び前記高温流通経路の入り口に前記送風手段を備えることを特徴とする、請求項７に記載の霧発生装置。
【請求項９】
請求項１〜８の何れか一項に記載の霧発生装置と、前記低温流通経路及び前記高温流通経路に接続された浴室を備えるミスト浴装置。
【請求項１０】
前記浴室において、前記低温流通経路が前記高温流通経路よりも高い位置に接続されていることを特徴とする、請求項８又は９に記載のミスト浴装置。
【発明の詳細な説明】
【技術分野】
【０００１】
本発明はミスト浴のための霧発生装置及びミスト浴装置に関する。
【背景技術】
【０００２】
浴室において温水又は熱水を霧状に噴射することで入浴者の体を温めるミストサウナが広く一般に普及している。
一方、浴室において常温の水や冷水を霧状に噴射し、かかる霧が入浴者の体に付着し気化する際の気化熱を利用して、入浴者に涼感を与えるミスト浴も一般に普及している。
そして近年、体を温める目的の温水の霧と、体を冷却する目的の低温の霧を同時に、又は交互に噴霧するタイプのミスト浴が行われるようになってきた。
【０００３】
特許文献１には、ノズルから温水をミスト状にして噴射することで浴室内を加湿しながら加熱するサウナ運転及び該ノズルから冷水をミスト状にして噴射することで該浴室内を冷却するクールダウン運転を行うミスト式空調システムが開示されている。
【０００４】
特許文献２には、浴室空間に発汗ゾーンと涼感ゾーンを形成して、発汗ゾーンには高温ミストを、涼感ゾーンには低温ミストを噴霧することが記載されている。
【０００５】
また、特許文献３には、ミストサウナ中に涼水ミストを噴出しクールダウンすることが記載されている。また、涼水ミストが入浴者に不快感を与えないように噴霧量、循環風量、還気風量で制御することが記載されている。
【先行技術文献】
【特許文献】
【０００６】
【特許文献１】特開２００２−１４３２６５号公報
【特許文献２】特開２００８−２３７４７８号公報
【特許文献３】特開２００９−０３０９４２号公報
【発明の開示】
【発明が解決しようとする課題】
【０００７】
特許文献１〜３に開示されているような従来のミストサウナ装置は、水をノズルから噴出することによって霧を発生させるため、水道管やコンプレッサーに接続する必要がある。また、温水ミストを噴出するには給湯器から湯を供給する必要があるため、給湯器との接続も必要となる。
したがって、従来のミストサウナ装置は壁や天井への取り付け工事だけではなく、水道管や給湯機への接続工事も必要であり、また、構造が複雑であった。そのため設置にコストや時間がかかるものであった。
【０００８】
本発明が解決しようとする課題は、上記問題点を解決することである。すなわち、簡便な構造であり、設置にコストや時間がかからない霧発生装置及びミスト浴装置を提供することが、本発明が解決しようとする課題である。
また、好ましい形態では、入浴者の体を効率的に温め、そして冷却させることができる霧発生装置及びミスト浴装置を提供することを課題とする。
また、本発明の好ましい形態によれば、入浴者がより心地よいミスト浴を楽しむことができる霧発生装置及びミスト浴装置を提供することを課題とする。
【課題を解決するための手段】
【０００９】
上記課題を解決する本発明は、ミスト浴のために用いられる霧発生装置であって、霧発生手段を備える貯水タンク、霧発生手段より発生した霧を流通させる低温流通経路及び高温流通経路、加熱手段並びに切り替え手段を備え、加熱手段は、高温流通経路を流通する霧を加熱し、切り替え手段は、霧が低温流通経路及び高温流通経路の何れを流通するか制御することを特徴とする、霧発生装置である。
本発明の霧発生装置は、貯水タンクに備えた霧発生手段を霧の発生源とするため、水道管やコンプレッサーへの接続を行う必要がない。また、霧を加熱する加熱手段を備えるため、給湯器に接続する必要がない。
【００１０】
本発明の好ましい形態では、霧発生手段が超音波霧発生器である。かかる形態の本発明の霧発生装置は簡便な構造となる。
また、本発明の好ましい形態では、加熱手段が誘導加熱器である。かかる形態の霧発生装置は、簡便な構造ながらも効率よく霧を加熱することができる。
【００１１】
本発明の好ましい形態では、低温流通経路及び高温流通経路が、それぞれ低温噴出口及び高温噴出口へ霧を流通し、低温噴出口が高温噴出口よりも高い位置に設けられている。
暖かい空気は上方へ、冷たい空気は下方へ移動するため、かかる形態の本発明の霧発生装置は、入浴者の体を効率的に温め、そして冷却させることができる。
【００１２】
本発明の好ましい形態では、入浴者の体温を感知する体温感知手段と、体温感知手段と切り替え手段を連動させる連動手段を備え、連動手段は、体温感知手段が感知した入浴者の体温が、所定の温度より高いときは霧を低温流通経路に流通させ、所定の温度より低いときは霧を高温流通経路に流通させるように切り替え手段を制御することを特徴とする。
かかる形態の本発明の霧発生装置は、入浴者の体温を過剰に温めすぎたり冷やしすぎたりすることがないため、入浴者は心地よいミスト浴を楽しむことができる。
【００１３】
本発明の好ましい形態では、前記低温流通経路及び前記高温流通経路を通じて浴室へ前記霧を噴出するための霧発生装置であって、前記高温流通経路の途中に前記加熱手段によって加熱された前記霧が送気される膨張室を備え、前記膨張室は前記浴室からの還気を流通する還気流通経路に接続されている。
このような形態の霧発生装置においては、一度浴室に噴出された霧と、加熱手段によって加熱された霧が膨張室に送気され混ざり合い、浴室へ噴出される。このような構成をとることによって、高温流通経路を通じて浴室へ噴出される霧の温度を容易に調節することができ、また、排水を抑制することができる。
【００１４】
本発明の好ましい形態では、霧発生手段より発生した霧を、低温流通経路及び高温流通経路へ供給する送風手段を備える。
かかる形態の本発明の霧発生装置は、効率的に低温流通経路及び高温流通経路へ霧を供給することができる。
【００１５】
また、さらに好ましい形態では、前記低温流通経路及び前記高温流通経路の入り口に前記送風手段を備える。
低温流通経路及び高温流通経路の入り口に送風手段を備えることによって、より効率的に低温流通経路及び高温流通経路へ霧を供給することができる。
【００１６】
また、本発明は、上記霧発生装置と、低温流通経路及び高温流通経路に接続された浴室を備えるミスト浴装置にも関する。
本発明のミスト浴装置は、水道管やコンプレッサー、給湯機に接続する必要がない簡便な構造であり、容易に設置することができる。
【００１７】
本発明の好ましい形態では、浴室において、低温流通経路が高温流通経路よりも高い位置に接続されている。
暖かい空気は上方へ、冷たい空気は下方へ移動するため、かかる形態の本発明のミスト浴装置は、入浴者の体を効率的に温め、そして冷却させることができる。
【発明の効果】
【００１８】
本発明は、簡便な構造であり、設置にコストや時間がかからない霧発生装置及びミスト浴装置を提供することができる。また、本発明の好ましい形態によれば、入浴者の体を効率的に温め、そして冷却させることができる。また、本発明の好ましい形態によれば、入浴者は非常に心地よいミスト浴を楽しむことができる。
【図面の簡単な説明】
【００１９】
【図１】実施例１の霧発生装置の概略図。
【図２】実施例２の霧発生装置の概略図。
【図３】実施例３のミスト浴装置の概略図。
【図４】実施例４の霧発生装置の平面図
【図５】実施例４の霧発生装置の正面図
【図６】実施例４の霧発生装置の右側面図
【図７】実施例５のミスト浴装置７０の概略図
【発明を実施するための形態】
【００２０】
以下、図１〜３を参照しながら、本発明についてさらに説明を加えるが、本発明がこれら実施例にのみ限定されないことは言うまでもない。
【００２１】
＜実施例１＞霧発生装置
本発明の霧発生装置の構成を、図１を参照しながら説明する。
図１に、実施例１の本発明の霧発生装置１０の概略図を示す。実施例１の霧発生装置１０は、超音波霧発生器２を備える貯水タンク１１、超音波霧発生器２より発生した霧６２を流通させる低温流通経路３１及び高温流通経路３２、誘導加熱器５並びに切り替え弁４１及び４２を備える。
【００２２】
実施例１の霧発生装置１０においては、貯水タンク１１に溜められた水６１が、超音波霧発生装置２によって霧化されることによって霧６２が発生する。そして、ファン１２によって貯水タンク１１内に気流が形成され、霧６２が低温流通経路３１及び高温流通経路３２に供給される。霧６２が低温流通経路３１及び高温流通経路３２の何れを流通するかは、切り替え弁４１及び４２によって制御される。低温流通経路３１を流通する霧６２は、そのまま浴室に噴霧される。一方、高温流通経路３２を流通する霧６２は、誘導加熱器５によって加熱され、加熱された霧又は水蒸気となって浴室に噴霧される。
以下、各構成についてさらに詳述する。
【００２３】
本発明において貯水タンク１１は、水６１を貯留することができる構造であれば特にその形態は限定されない。
本発明においては、水６１に人体に好適に使用できる有効成分やリラックス効果ある香り成分を溶解させてもよい。このような水溶液を貯水タンク１１に貯留することによって、霧発生手段２によって水６１と共にエアロゾル化した上記成分によって入浴者を曝露することができる。かかる実施の形態の本発明によれば、入浴者のさらなる健康増進やリラックス効果を図ることができる。
【００２４】
本発明における霧発生手段は霧を発生させることができれば、特にその形態は限定されない。
本発明の実施の形態においては、図１に示すように霧発生手段として超音波霧発生器２を用いることが好ましい。
超音波霧発生器とは液体を超音波によって霧状にする装置のことをいう。本発明においては、一般に流通している市販品を用いることができる。すなわち、圧電セラミックスの振動子に高周波の交流電圧を加え、発生した超音波の振動エネルギーを水面に伝えることにより、微細な霧を発生させる超音波霧発生器を用いることができる。
【００２５】
超音波霧発生器２より発生した霧６２は、低温流通経路３１及び高温流通経路３２を流通する。低温流通経路３１及び高温流通経路３２は、互いに霧６２を独立して流通させることができれば特にその形態は限定されないが、図１に示すようにパイプ状とすることが好ましい。
【００２６】
高温流通経路３２は、加熱された霧６２又は加熱された霧６２が気化した水蒸気が流通するため、耐熱性がある素材で構成することが好ましい。
また、図１に示すように、加熱手段によって高温流通経路３２自体を加熱することにより間接的に霧６２を加熱する構成とする場合には、高温流通経路３２は金属製とすることが好ましい。
【００２７】
本発明における加熱手段としては、霧を加熱することができればその形態は特に限定されず、電熱によって加熱する形態が好適に例示できる。
本発明における加熱手段として電熱を用いる場合には、抵抗加熱、誘導加熱、誘電加熱、アーク加熱、ヒートポンプ加熱、放射加熱の何れの原理による電熱器を用いてもよい。
本発明の好ましい実施の形態では、図１に示すように加熱手段として誘導加熱器５を用いる。
実施例１のように、加熱手段として誘導加熱器５を用いる場合には、誘導加熱器５は高温流通経路３２を取り巻くように設ける。そして、少なくとも誘導加熱器５が設けられた部分においては、高温流通経路３２は金属で構成する。
【００２８】
一方、低温流通経路３１は霧６２をそのまま流通させる形態としてよい（図１）。
または、低温流通経路３１に冷却手段を設けて、低温流通経路３１を流通する霧６２を冷却するような形態としてもよい。
冷却手段の構成としては、特に限定されないが、低温流通経路３１の少なくとも一部を放熱効率の良好な素材又は構成とし、その外側に周知の空冷式又は水冷式の冷却ユニットを設ける構成とすることもできる。
【００２９】
実施例１の霧発生装置は、切り替え手段として切り替え弁４１及び４２を備える。切り替え弁４１及び４２は、霧が低温流通経路３１及び高温流通経路３２の何れを流通するか制御する。
実施例１においては切り替え手段として切り替え弁４１及び４２を用いているが、霧の流通を制御できればその形態は特に限定されない。
【００３０】
ここで、「霧が低温流通経路及び高温流通経路の何れを流通するか制御する」とは、霧が低温流通経路と高温流通経路の両経路を流通する状態と、霧が低温流通経路と高温流通経路の何れか一方を流通する状態を制御することを言う。
したがって、本発明の霧発生装置は低温の霧と高温の霧を同時に噴出することもできるし、何れか一方を噴出することもできる。
【００３１】
本発明の好ましい実施の形態では、霧発生手段より発生した霧を、低温流通経路及び高温流通経路へ供給する送風手段を備える。送風手段の形態は特に限定されないが、図１に示すようにファン１２を貯水タンク１１の壁面に備えるようにしても良い。
【００３２】
実施例１の霧発生器１０は固定型としても移動型としてもよい。
固定型とする場合には、霧発生器１０を壁や天井、床に固定してもよい。
移動型とする場合には、霧発生器１０の底部に車輪を設け、容易に移動できるように構成してもよい。
【００３３】
実施例１の霧発生装置１０によれば、高温流通経路３２へ霧６２を流通し、高温の霧６２を浴室へ噴霧する加温運転と、低温流通経路３１へ霧６２を流通し低温の霧６２を浴室に噴霧する冷却運転を交互に繰り返すことができる。
加温運転と冷却運転を交互に繰り返すことによって、加温運転による過度な体温上昇や冷却運転による過度な体温低下を防ぐことができる。つまり、霧発生装置１０は入浴者に与える負担が少ない、心地の良いミスト浴を実現する。
入浴者に与える負担が少ないため霧発生装置１０は、繊細なボディケアが必要不可欠なスポーツ選手や、体の弱い病人や老人のミスト浴のために用いることが好ましい。
【００３４】
加温運転と冷却運転の切り替え周期はタイマーによって制御してもよい。
また、浴室の室温を計測する温度センサーと霧発生装置１０を接続することによって、ある一定の温度まで浴室の室温が上昇したら冷却運転を開始し、ある一定の温度まで浴室の室温が低下したら加温運転を開始するように制御してもよい。
本発明の好ましい実施の形態では、入浴者の体温を感知する体温感知手段と、体温感知手段と切り替え手段を連動させる連動手段を備える。かかる実施の形態については、実施例３において詳述する。
【００３５】
＜実施例２＞ハウジング付き霧発生装置
実施例２の霧発生装置１０１について図２を参照して説明する。実施例２の霧発生装置１０１はハウジング１３１を備えることにより、高温となる誘導加熱器５や高温流通経路３２と入浴者の接触を防止し、安全性を担保する。
実施例２の霧発生装置１０１は、そのまま浴室へ載置することによって使用することもできるし、壁や窓などに取り付けて使用することもできる。
また、霧発生装置１０１の低温噴出口３１ａと高温噴出口３２ａにさらにパイプを接続し、かかるパイプを浴室に接続する形態としてもよい。
【００３６】
霧発生装置１０１の低温噴出口３１ａと高温噴出口３２ａから直接浴室に霧６２を噴出する場合にあっては、図２に示すように低温噴出口３１ａを高温噴出口３２ａよりも高い位置に設けることが好ましい。かかる実施の形態の霧発生装置１０１は、入浴者の体を効率的に温め、そして冷却させることができる。
【００３７】
＜実施例３＞ミスト浴装置
実施例３のミスト浴装置７０について図３を参照しながら説明する。
ミスト浴装置７０は、実施例１の霧発生装置１０と浴室７１を備える。浴室７１には低温流通経路３１及び高温流通経路３２を通して、霧６２が噴霧される構成となっている。
実施例３のミスト浴装置７０は水道管やコンプレッサー、給湯機への接続を必要とせず、独立したユニット型のミスト浴装置として使用することができる。
【００３８】
ミスト浴装置７０は入浴者９の体温を感知する体温感知手段としてサーモグラフィー８１を備えている。そして、サーモグラフィー８１は連動手段８２に接続されている。
連動手段８２は、サーモグラフィー８１が感知した入浴者９の体温が、所定の温度より高いときは霧６２を低温流通経路３１に流通させ、所定の温度より低いときは霧６１を高温流通経路３２に流通させるように切り替え弁４１及び４２を制御する。
そのため、ミスト浴装置７０によれば、入浴者９の体温を過剰に温めすぎたり冷やしすぎたりすることがないため、入浴者９は心地よいミスト浴を楽しむことができる。
【００３９】
実施例３のミスト浴装置７０においては体温感知手段としてサーモグラフィーを採用するが、入浴者の体温を感知することができればその形態は限られない。ここで、「体温」とは、体内の温度だけではなく体表面の温度も含む。
本発明において体温感知手段としては赤外線エネルギーの量を計測し、その量を温度に換算する非接触型の温度センサーを好適に例示することができる。
また、浴室７１内の温度と入浴者９の体温の相関関係に基づき、浴室７１内の室温を計測する温度計や温度センサーを体温感知手段としてもよい。温度計や温度センサーとしては一般に用いられるものを制限なく用いることができる。
【００４０】
上述の通り、連動手段８２は、切り替え弁４１及び４２を入浴者９の体温に応じて制御する。すなわち、体温が所定の温度より高いときは霧６２を低温流通経路３１に流通させ、所定の温度より低いときは霧６１を高温流通経路３２に流通させる。「所定の温度」は適宜設定することができる。
【００４１】
ミスト浴装置７０においては、低温流通経路３１の開口部である低温噴出口３１ａが、高温流通経路３２の開口部である高温噴出口３２ａよりも高い位置に設けられている。かかる形態の本発明のミスト浴装置７０は、入浴者の体を効率的に温め、そして冷却させることができる。
本発明の好ましい実施の形態では、図３に示すように低温噴出口３１ａは入浴者９の頭部よりも高い位置に、高温噴出口３２ａは入浴者９の足元に設ける。
【００４２】
本発明において浴室７１の材質は特に限定されず、合成樹脂や木材で構成しても良い。また、浴室７１には図３に示すように椅子を設けても良い。
【００４３】
本発明においては、図３に示すように浴室７１に換気扇７２を設けてもよい。低温噴出口３１ａより噴出される低温の霧６２による涼感は、入浴者９に付着した霧６２の気化熱によりもたらされる。したがって、換気扇７２によって換気を行い浴室７１内の湿度を低下させることによって、より霧６２の気化を促し、入浴者９に与える涼感を向上させることができる。
本発明においては、連動手段８２と換気扇７２を接続して、連動手段８２が切り替え弁４１を開放するタイミングに合わせて換気扇７２を駆動させるように構成してもよい。
【００４４】
＜実施例４＞霧発生装置
実施例４の霧発生装置について図４〜６を参照しながら説明する。実施例４の霧発生装置１０においては、ミストボックス１３２と低温流通経路３１及び高温流通経路３２の接続部分、すなわち、低温流通経路３１及び高温流通経路３２の入り口にファン１２が設けられていることを特徴とする。
低温流通経路３１及び高温流通経路３２の入り口にファン１２が設けられていることによって、超音波霧発生器２より発生した霧が非常に効率的に低温流通経路３１又は高温流通経路３２に送気される。つまり、実施例４の霧発生装置は省エネルギー化された構成となっている。
【００４５】
実施例４のように低温流通経路３１及び高温流通経路３２の入り口にファン１２を設ける場合には、ファン１２を切り替え手段とすることができる。例えば、低温流通経路３１に霧を流通させる場合には、その入り口に設けられたファン１２を駆動し、一方の高温流通経路の入り口に設けられたファン１２の駆動を停止する。このように低温流通経路３１及び高温流通経路３２の入り口に設けられたファン１２の駆動と停止を制御することによって、低温の霧と高温の霧の発生を切り替えることが可能となる。
【００４６】
実施例４の霧発生装置１０においては、ファン１２は低温流通経路３１及び高温流通経路３２の入り口に設けられているが、それぞれの流通経路の途中や、それぞれの流通経路の出口、すなわち低温噴出口や高温噴出口に設けてもよい。
【００４７】
貯水タンク１１中の水は超音波霧発生器２によって霧へと変換されるため、長時間使用を続けると貯水タンク１１中の水が無くなってしまうおそれがある。しかし、実施例４の霧発生装置１０は、貯水タンク１１へ水を供給する給水タンク１４を備えているため、貯水タンク１１中の水が枯渇することを防ぐことができる。
貯水タンク１１に水位計を備え、一定の量よりも貯水タンク１１中の水位が下回った場合に、給水タンク１４から貯水タンク１１に水を供給する構成とすることがより好ましい。
【００４８】
図４〜６に示すように、実施例４の霧発生装置１０においては、冷却ファン１５を取り付け、誘導加熱器５による装置内の過度な温度上昇を防ぐような構成とすることが好ましい。
【００４９】
＜実施例５＞ミスト浴装置
実施例５のミスト浴装置７０について図７を参照しながら説明する。実施例５のミスト浴装置７０は高温流通経路３２の途中に膨張室３２１を備えることを特徴とする。膨張室３２１には、誘導加熱器５によって加熱された霧と、一度浴室７１に噴出された霧が供給される。供給された２種の霧は膨張室３２１において混合され、高温流通経路３２を通じて浴室７１に噴出される。このような構成を備えるため実施例５のミスト浴装置７０は、浴室７１に噴出させる霧の温度調整を容易に行うことができる。また、浴室７１における排水の発生を抑制することができる。
【００５０】
また、膨張室３２１は還水管１４７を介して給水制御タンク１４１に接続されている。これにより、霧が凝縮することで膨張室３２１に発生した水を給水制御タンク１４７に戻すことができ、排水の発生を抑制することが可能となる。
【００５１】
実施例５のミスト浴装置７０においては、主制御装置８０によって貯水タンク１１の水位、膨張室３２１の温度、そして低温流通経路３１と高温流通経路３２の切り替えが制御されている。
【００５２】
実施例５のミスト浴装置７０において貯水タンク１１の水位は以下のように制御されている。貯水タンク１１は給水制御タンク１４１に連結管１４４を介して接続されており、貯水タンク１１における水位に連動して給水制御タンク１４１の水位が変動するような構成となっている。そして、給水制御タンク１４１には水位計１４５が設置されており、給水制御タンク１４１の水位が一定値を下回った場合には、水位スイッチ８４が切り替わり、給水制御弁１４２が開き給水タンク１４から給水制御タンク１４１に給水され、結果的に貯水タンク１１の水位を一定値以上に回復できる。水位が一定値以上まで回復した場合には水位スイッチ８４が切り替わり、給水制御弁１４２を閉じて、給水を停止させることができる。
このような構成をとることによって、貯水タンク１１の水が枯渇し霧発生装置１０の運転が停止することを防ぐことができる。
【００５３】
実施例５のミスト浴装置７０において膨張室３２１の温度は以下のように制御されている。すなわち、膨張室３２１に設置された温度センサー８５により、膨張室３２１内の温度が一定値よりも下回っていることを温度調節器８３が検知すると、温度調節器８３が主制御装置８０と誘導加熱器５を通電させ、誘導加熱器５による高温流通経路３２の加熱を開始する。また、膨張室３２１内の温度が一定値を上回っている場合には、温度調節器８３が主制御装置８０と誘導加熱器５の通電を停止し、誘導加熱器５による高温流通経路３２の加熱を停止する。
このような構成をとることによって、浴室７１に噴出させる霧の温度を容易に適切な範囲内に調節することができる。
【００５４】
実施例５のミスト浴装置７０において、低温流通経路３１と高温流通経路３２の切り替えは以下のように制御されている。浴室７１は入浴者の体温を感知する体温感知手段としてサーモグラフィー８１を備えている。そして、サーモグラフィー８１は主制御装置８０に接続されている。主制御装置８０は、サーモグラフィー８１が感知した入浴者の体温が、所定の温度より高いときは低温流通経路３１の入り口に備えられたファン１２を駆動させ、霧を低温流通経路３１に流通させる。反対に、サーモグラフィー８１が感知した入浴者の体温が、所定の温度より低いときは高温流通経路３２の入り口に備えられたファン１２を駆動させ、霧を高温流通経路３２に流通させる。
このような構成を備える実施例５のミスト浴装置７０によれば、入浴者の体温を過剰に温めすぎたり冷やしすぎたりすることがないため、入浴者は心地よいミスト浴を楽しむことができる。
【００５５】
ミスト浴装置７０には、運転状態を表示するランプ８６や、装置内の過度の温度上昇を防ぐための冷却ファン１５を取り付けてもよい。この場合、ランプ８６と冷却ファン１５は主制御装置８０により制御される構成とすることが好ましい。
【産業上の利用可能性】
【００５６】
本発明は簡易型の霧発生装置及びミスト浴装置に応用することができる。
【符号の説明】
【００５７】
１０  霧発生装置
１０１  ハウジング付き霧発生装置
１１  貯水タンク
１２  ファン（送風手段）
１３１  ハウジング
１３２  ミストボックス
１４  給水タンク
１４１  給水制御タンク
１４２  給水制御弁
１４３  給水管
１４４  連結管
１４５  水位計
１４６  水位計
１４７  還水管
１５  ファン
２  超音波霧発生器（霧発生手段）
３１  低温流通経路
３１ａ  低温噴出口
３２  高温流通経路
３２ａ  高温噴出口
３２１  膨張室
４１  切り替え弁（切り替え手段）
４２  切り替え弁（切り替え手段）
５  誘導加熱器（加熱手段）
６１  水
６２  霧
７０  ミスト浴装置
７１  浴室
７２  換気扇
８０  主制御装置
８１  サーモグラフィー（体温感知手段）
８２  連動手段
８３  温度調節機
８４  水位スイッチ
８５  温度センサー
８６  ランプ
【図１】
2016047236.tif 000003
【図２】
2016047236.tif 000004
【図３】
2016047236.tif 000005
【図４】
2016047236.tif 000006
【図５】
2016047236.tif 000007
【図６】
2016047236.tif 000008
【図７】
2016047236.tif 000009